(57)【要約】【課題】外部ネットワークとの通信環境に依存することなく、高画質の画像表示を実現することのできる表示装置を提供する。【解決手段】本発明に係るテレビ１０は、液晶パネル１１０を駆動するために参照されるＯＤテーブルであって、予め内蔵メモリ１４０に格納されていた複数のＯＤテーブルの少なくとも何れかを、１つ以上の外部メモリ２０に書き出すと共に、外部メモリ２０に書き出されたＯＤテーブル、及び、書き出しの対象とならなかったＯＤテーブルの少なくとも何れかを参照して液晶パネル１１０を駆動する制御部１３０を備えている。【選択図】図１
2014002289.tif 000002
【特許請求の範囲】
【請求項１】
表示パネルを備えた表示装置において、
表示パネルを駆動するために参照される参照テーブルであって、予め内部メモリに格納されていた複数の参照テーブルの少なくとも何れかを、外部記録媒体に書き出す書出手段と、
上記書出手段によって上記外部記録媒体に書き出された参照テーブル、及び、上記内部メモリに格納されている複数の参照テーブルのうち上記書出手段による書き出しの対象とならなかった参照テーブルの少なくとも何れかを参照して、上記表示パネルを駆動する駆動手段と、を備えている、
ことを特徴とする表示装置。
【請求項２】
上記複数の参照テーブルの各々は、互いに異なる温度に対応するものである、
ことを特徴とする請求項１に記載の表示装置。
【請求項３】
上記表示パネルの温度を検知する温度検知手段を更に備え、
上記駆動手段は、上記温度検知手段によって検知された温度に対応する参照テーブルを参照する、
ことを特徴とする請求項２に記載の表示装置。
【請求項４】
上記書出手段は、さらに、上記駆動手段によって参照されるべき参照テーブルが上記外部記録媒体に書き出された参照テーブルの何れかであるとき、上記書き出しの対象とならなかった参照テーブルの少なくとも何れかを上記外部記録媒体に書き出すと共に、上記参照されるべき参照テーブルを上記外部記録媒体から上記内部メモリに書き込み、
上記駆動手段は、上記外部記録媒体から上記内部メモリに書き込まれた参照テーブルを参照して、上記表示パネルを駆動する、
ことを特徴とする請求項１から３の何れか１項に記載の表示装置。
【請求項５】
上記参照テーブルは、画像データが示す現フレームでの階調値と該画像データが示す次フレームでの階調値とによって、該次フレームにおいて上記表示パネルに書き込むべき階調値を指定するテーブルである、
ことを特徴とする請求項１から４の何れか１項に記載の表示装置。
【請求項６】
上記書出手段は、上記予め内部メモリに格納されている参照テーブルの少なくとも何れかと共に、当該表示装置の設定情報を上記外部記録媒体に書き出す、
ことを特徴とする請求項１から５の何れか１項に記載の表示装置。
【請求項７】
上記外部記録媒体が当該表示装置に接続されているか否かを識別する識別手段を更に備え、
上記書出手段は、上記識別手段によって上記外部記録媒体が当該表示装置に接続されていると識別されたときに、上記予め内部メモリに格納されていた複数の参照テーブルの少なくとも何れかを上記外部記録媒体に書き出す、
ことを特徴とする請求項１から６の何れか１項に記載の表示装置。
【請求項８】
表示パネルを備えた表示装置の表示方法において、
表示パネルを駆動するために参照される参照テーブルであって、予め内部メモリに格納されていた複数の参照テーブルの少なくとも何れかを、外部記録媒体に書き出す書出ステップと、
上記書出ステップにおいて上記外部記録媒体に書き出された参照テーブル、及び、上記内部メモリに格納されている複数の参照テーブルのうち上記書出ステップにおいて書き出
しの対象とならなかった参照テーブルの少なくとも何れかを参照して、上記表示パネルを駆動する駆動ステップと、を含んでいる、
ことを特徴とする表示方法。
【請求項９】
請求項１から７の何れか１項に記載の表示装置の各手段を備えている、
ことを特徴とするテレビジョン受像機。
【請求項１０】
コンピュータを請求項１から７の何れか１項に記載の表示装置として動作させるためのプログラムであって、上記コンピュータを上記表示装置の各手段として機能させるプログラム。
【請求項１１】
請求項１０に記載のプログラムが記録されているコンピュータ読み取り可能な記録媒体。
【発明の詳細な説明】
【技術分野】
【０００１】
本発明は、表示装置、及び、表示装置の表示方法に関する。また、表示装置を備えたテレビジョン受像機、表示装置としてコンピュータを動作させるためのプログラム、及び、そのようなプログラムが記録されている記録媒体に関する。
【背景技術】
【０００２】
近年、液晶パネルを備えた液晶表示装置に対して、高画質な画像の表示が求められるようになってきている。
【０００３】
一方、液晶パネルに画像が表示される際に、いわゆる尾引き表示が生じると、画質の階調低下を招来してしまうことが知られている。この現象は、液晶パネルを構成する液晶表示素子の応答速度の低下に起因するものであり、液晶表示装置の液晶パネルの温度が低いほど顕著になる。
【０００４】
これに対し、オーバードライブを用いて液晶表示装置を駆動し（以降、ＯＤ駆動とも呼称する）、液晶パネルを構成する液晶表示素子のキャパシタに所定の電荷が蓄積されるまでの時間を高速化することによって、液晶表示装置における液晶パネルの中間階調の応答速度を改善する方法が提案されている。
【０００５】
ＯＤ駆動においては、ある電圧値を保持しているキャパシタを新たな電圧値に変化させるためのオーバードライブ電圧を、テーブル（以降、ＯＤテーブルとも呼称する）を参照することによって決定することが一般的である。
【０００６】
温度の変化に対応したＯＤ駆動を行うためには、異なる温度に対応した複数のＯＤテーブルを保持しておくことが好ましいが、このような複数のＯＤテーブルを記憶するためには、大容量のメモリが必要となるためコストアップの原因となり得る。
【０００７】
下掲の特許文献１〜３には、液晶パネルを暖める手段を備え、液晶パネルの温度を暖めることによって、低温環境下における液晶表示素子の応答速度を高め、温度変化による画質の低下を低減する構成が開示されている。
【０００８】
しかしながら、特許文献１〜３に記載の技術は、何れも液晶パネルを暖める手段を備えるものであるため、その手段を備えるためにコストが増大してしまう。
【０００９】
一方で、特許文献４には、通信ネットワークを介して装置内の温度に対応する強調変換パラメータを取得する構成が開示されている。この構成を用いれば、装置内の温度に対応する強調変換パラメータを、その都度取得すればよいので、内蔵メモリ容量を増大させずとも、温度変化に適応した高画質を実現することができる。
【先行技術文献】
【特許文献】
【００１０】
【特許文献１】特開２００４−１０２２２２号公報（２００４年４月２日公開）
【特許文献２】特開２０１０−１２８１７５号公報（２０１０年６月１０日公開）
【特許文献３】特開２００７−０６５３１０号公報（２００７年３月１５日公開）
【特許文献４】特開２００４−２４０２７３号公報（２００４年８月２６日公開）
【特許文献５】特開２００６−１２６６２７号公報（２００６年５月１８日公開）
【発明の概要】
【発明が解決しようとする課題】
【００１１】
しかし、特許文献４に記載の液晶表示装置は、強調変換パラメータを、通信ネットワークを介して外部サーバから取得する構成であるため、液晶表示装置が通信ネットワークに接続されていない場合には、温度に対応した最適な強調変換パラメータを取得することができず、高画質の画像表示を実現することが難しくなるという問題があった。
本発明は、上記の課題を解決するためになされたものであり、その目的は、外部ネットワークとの通信環境に依存することなく、高画質の画像表示を実現することのできる表示装置を提供することにある。
【課題を解決するための手段】
【００１２】
本発明の一態様に係る表示装置は、上記の課題を解決するために、表示パネルを備えた表示装置において、表示パネルを駆動するために参照される参照テーブルであって、予め内部メモリに格納されていた複数の参照テーブルの少なくとも何れかを、外部記録媒体に書き出す書出手段と、上記書出手段によって上記外部記録媒体に書き出された参照テーブル、及び、上記内部メモリに格納されている複数の参照テーブルのうち上記書出手段による書き出しの対象とならなかった参照テーブルの少なくとも何れかを参照して、上記表示パネルを駆動する駆動手段と、を備えている、ことを特徴としている。
【００１３】
また、本発明の一態様に係る表示方法は、上記の課題を解決するために、表示パネルを備えた表示装置の表示方法において、表示パネルを駆動するために参照される参照テーブルであって、予め内部メモリに格納されていた複数の参照テーブルの少なくとも何れかを、外部記録媒体に書き出す書出ステップと、上記書出ステップにおいて上記外部記録媒体に書き出された参照テーブル、及び、上記内部メモリに格納されている複数の参照テーブルのうち上記書出ステップにおいて書き出しの対象とならなかった参照テーブルの少なくとも何れかを参照して、上記表示パネルを駆動する駆動ステップと、を含んでいる、ことを特徴としている。
【００１４】
上記の構成によれば、上記表示装置は、上記書出手段によって、上記メモリに予め格納されている複数の参照テーブルの少なくとも何れかを外部記録媒体に書き出す。したがって、上記表示装置は、書き出された参照テーブルが格納されていた上記メモリの領域を、参照テーブル以外の情報を格納するための領域として有効に利用することができる。これによって、上記表示装置は、上記メモリとは異なる記憶装置を参照テーブル以外の情報を格納するために新たに設ける必要がないため、コストを削減することができる。
【００１５】
また、上記の構成によれば、上記駆動手段は、上記メモリに予め格納されている複数の参照テーブルの少なくとも何れかを参照して上記表示パネルを駆動するため、外部ネットワークとの通信環境に依存することなく、参照テーブルを参照した高画質の画像表示を実現することができる。
【００１６】
なお、上記参照テーブルを書き出す外部記録媒体は、１つであってもよいし、複数であってもよい。
【００１７】
また、上記複数の参照テーブルは、互いに異なる複数の温度に対応するものとしてもよいし、互いに種類の異なる複数の表示パネルに対応するものとしてもよい。また、互いに異なる複数の駆動方法に対応するものとしてもよい。
【００１８】
本発明の一態様に係る表示装置において、上記複数の参照テーブルの各々は、互いに異なる温度に対応するものである、ことが好ましい。
【００１９】
上記の構成によれば、駆動手段は、互いに異なる温度に対応する参照テーブルの少なくとも何れかを参照することによって、表示パネルを駆動することができる。
【００２０】
本発明の一態様に係る表示装置は、上記表示パネルの温度を検知する温度検知手段を更に備え、上記駆動手段は、上記温度検知手段によって検知された温度に対応する参照テーブルを参照する、ことが好ましい。
【００２１】
上記の構成によれば、上記駆動手段は、上記温度検知手段によって検知された温度に対応する参照テーブルを参照して上記表示パネルを駆動する。これによって、上記表示装置は、当該表示装置が利用される温度環境に適切な参照テーブルを参照して表示パネルを駆動することができる。
【００２２】
本発明の一態様に係る表示装置において、上記書出手段は、さらに、上記駆動手段によって参照されるべき参照テーブルが上記外部記録媒体に書き出された参照テーブルの何れかであるとき、上記書き出しの対象とならなかった参照テーブルの少なくとも何れかを上記外部記録媒体に書き出すと共に、上記参照されるべき参照テーブルを上記外部記録媒体から上記内部メモリに書き込み、上記駆動手段は、上記外部記録媒体から上記内部メモリに書き込まれた参照テーブルを参照して、上記表示パネルを駆動する、ことが好ましい。
【００２３】
上記の構成によれば、上記書出手段は、上記駆動手段によって参照されるべき参照テーブルが上記外部記録媒体に書き出された参照テーブルであった場合に、該参照されるべき参照テーブルを上記メモリに書き込む（格納する）。これによって、上記駆動手段は、上記メモリに格納されている参照テーブルを参照して表示パネルを駆動することができる。したがって、上記表示装置は、上記参照されるべき参照データを参照するために上記外部記録媒体にアクセスしなければならないことに起因した、処理速度の低下を防ぐことができる。
【００２４】
また、上記書出手段は、上記参照されるべき参照データを上記メモリに書き込む際に、該メモリに格納されている、上記書き出しの対象とならなかった参照テーブルの少なくとも何れかを上記外部記録媒体に書き出す。これによって、上記書出手段は、上記メモリの有する領域のうち、参照テーブル以外の情報を格納するための領域を維持しつつ、上記参照されるべき参照データを上記メモリに書き込むことができる。
【００２５】
本発明の一態様に係る表示装置において、上記参照テーブルは、画像データが示す現フレームでの階調値と該画像データが示す次フレームでの階調値とによって、該次フレームにおいて上記表示パネルに書き込むべき階調値を指定するテーブルである、ことが好ましい。
【００２６】
上記の構成によれば、上記駆動手段は、上記参照テーブルにおいて指定される階調値を用いて上記表示パネルを駆動することによって、該表示パネルに上記画像データを表示させることができる。
【００２７】
本発明の一態様に係る表示装置において、上記書出手段は、上記予め内部メモリに格納されている参照テーブルの少なくとも何れかと共に、当該表示装置の設定情報を上記外部記録媒体に書き出す、ことが好ましい。
【００２８】
上記の構成によれば、上記外部記録媒体に当該表示装置を利用するユーザの設定した画質などの設定情報を書き出すことにより、該設定情報を、当該表示装置以外の表示装置（他の表示装置）でも利用することができる。これによって、上記外部記録媒体に格納されている上記参照テーブル及び上記設定情報を、上記表示装置と他の表示装置とで共有する
ことができる。
【００２９】
本発明の一態様に係る表示装置は、上記外部記録媒体が当該表示装置に接続されているか否かを識別する識別手段を更に備え、上記書出手段は、上記識別手段によって上記外部記録媒体が当該表示装置に接続されていると識別されたときに、上記予め内部メモリに格納されていた複数の参照テーブルの少なくとも何れかを上記外部記録媒体に書き出す、ことが好ましい。
【００３０】
上記の構成によれば、上記書出手段は、上記識別手段によって上記外部記録媒体が上記表示装置に接続されていると識別されたときに限って、上記参照テーブルの少なくとも一部を上記記録媒体に書き出す。したがって、上記書出手段は、上記外部記録媒体が接続されていないにも拘らず、上記参照テーブルが書き出されてしまうことを防ぐことができる。
【００３１】
なお、上記表示装置の各手段を備えているテレビジョン受像機も本発明の範疇に含まれる。
【００３２】
また、本発明の目的は、コンピュータを上記表示装置として動作させるためのプログラムによっても達成することができる。そして、そのようなプログラム自体のみならず、そのようなプログラムが記録されているコンピュータ読み取り可能な記録媒体も本発明の範疇に含まれる。
【発明の効果】
【００３３】
本発明の一態様に係る表示装置は、上記の課題を解決するために、表示パネルを備えた表示装置において、表示パネルを駆動するために参照される参照テーブルであって、予めメモリに格納されていた複数の参照テーブルの少なくとも何れかを１つ以上の外部記録媒体に書き出す書出手段と、上記書出手段によって上記外部記録媒体に書き出された参照テーブル、及び、上記メモリに格納されている複数の参照テーブルのうち上記書出手段による書き出しの対象とならなかった参照テーブルの少なくとも何れかを参照して、上記表示パネルを駆動する駆動手段と、を備えている、ことを特徴としている。
【００３４】
また、本発明の一態様に係る表示方法は、上記の課題を解決するために、表示パネルを備えた表示装置の表示方法において、表示パネルを駆動するために参照される参照テーブルであって、予めメモリに格納されていた複数の参照テーブルの少なくとも何れかを外部記録媒体に書き出す書出ステップと、上記書出ステップにおいて上記外部記録媒体に書き出された参照テーブル、及び、上記メモリに格納されている複数の参照テーブルのうち上記書出手段による書き出しの対象とならなかった参照テーブルの少なくとも何れかを参照して、表示パネルを駆動する駆動ステップと、を含んでいる、ことを特徴としている。
【００３５】
したがって、上記表示装置は、外部ネットワークとの通信環境に依存することなく、高画質の画像表示を実現することができる。
【図面の簡単な説明】
【００３６】
【図１】本発明の一実施形態に係る表示システムの構成を示すブロック図である。
【図２】本発明の一実施形態に係る表示システムの概略を示す図である。
【図３】本発明の一実施形態に係るテレビの備える制御部がＯＤ駆動時に参照するＯＤテーブル群の一例を示す図である。
【図４】本発明の一実施形態に係るテレビにおけるＯＤ駆動設定処理の流れを示すフローチャートである。
【図５】本発明の一実施形態に係るテレビにおけるＯＤ駆動開始処理の流れを示すフローチャートである。
【図６】本発明の一実施形態に係るテレビにおけるＯＤ駆動処理の流れを示すフローチャートである。
【図７】本発明の一実施形態に係るテレビの起動時間による液晶パネルの温度変化と、制御部によって参照されるＯＤテーブルの切り替えタイミングとの関係を示すグラフである。
【図８】本発明の他の実施形態に係る表示システムの構成の概略を示す図である。
【図９】本発明の他の実施形態に係る表示システムの構成を示すブロック図である。
【発明を実施するための形態】
【００３７】
＜実施形態１＞
本発明の一実施形態に係る表示装置について、図１から図７を参照して以下に説明する。但し、この実施形態に記載されている構成は、特に特定的な記載がない限り、この発明の範囲をそれのみに限定する趣旨ではなく、単なる説明例に過ぎない。
【００３８】
なお、本実施形態では、表示装置がテレビジョン受像機によって実現されているため、以降では、テレビと呼称する。
【００３９】
〔表示システムの構成〕
まず、本実施形態に係るテレビを含んで構成される表示システム１の構成の概略について図２を参照して説明する。図２は、本実施形態に係る表示システム１の構成の概略を示す図である。
【００４０】
図２に示すように、本実施形態に係る表示システム１は、テレビ（表示装置）１０、外部メモリ（外部記録媒体）２０、及び、テレビ１０と外部メモリ２０とを接続する通信ケーブル３０を備えている。
【００４１】
外部メモリ２０は、ＵＳＢメモリに代表される外部記録媒体である。また、外部メモリ２０としては、例えば、ＨＤＤ、ＤＶＤ、及び、ＢＤなどを例にあげることもできる。
【００４２】
次に、表示システム１の構成について、図１を参照して説明する。図１は、本実施形態に係る表示システム１の構成を示すブロック図である。
【００４３】
（テレビの構成）
まず、テレビ１０の構成について説明する。テレビ１０は、図１に示すように、液晶パネル（表示パネル）１１０、温度センサ（温度検知手段）１２０、制御部（書出手段、駆動手段、識別手段）１３０、内蔵メモリ（内部メモリ）１４０、切替部１５０、及び、インターフェース１６０を備えている。
【００４４】
温度センサ１２０は、周囲の温度を検知し、検知した温度（検知温度）を制御部１３０に供給する。なお、温度センサ１２０は、例えば、テレビ１０の備えるいわゆる額縁領域（不図示）に設けられればよいが、特に限定されるものではない。また、温度センサ１２０としては、例えば、サーミスタなどを例に挙げることができる。
【００４５】
制御部１３０は、テレビ１０の備える各部を統括的に制御する。制御部１３０は、入力された画像データの表す画像が表示されるよう、液晶パネル１１０を駆動する。具体的には、制御部１３０は、画像データの示す、液晶パネル１１０の備える各画素（不図示）に対応した階調値に応じた電圧が、各画素に印加されるように液晶パネル１１０を駆動する。なお、本実施形態では画像が動画像である場合を例に挙げて説明するが、静止画像であってもよい。
【００４６】
また、制御部１３０は、液晶パネル１１０を駆動する際、画像データが示す現フレームでの階調値と該画像データが示す次フレームでの階調値とに基づいて該次フレームの画像データの階調値を変化させることにより液晶パネル１１０の各画素に印加される電圧の補正を行い、各画素に補正された電圧（オーバードライブ電圧）を印加することによって各画素の備える液晶の応答速度を改善するオーバードライブ（ＯＤ（Over Drive））駆動を行う。
【００４７】
このとき、制御部１３０は、温度センサ１２０から供給される検知温度に基づいてＯＤ駆動を行う。具体的には、制御部１３０は、内蔵メモリ１４０に格納されている、互いに異なる温度に対応するＯＤテーブル（参照テーブル）を参照して、表示される映像の、各画素に対応する階調値を決定し、決定した階調値に従って液晶パネル１１０に映像を表示する。
【００４８】
制御部１３０は、まず、温度センサ１２０から供給される検知温度から、液晶パネル１１０の温度（液晶パネル温度）を算出する。制御部１３０は、次に、算出した液晶パネル温度の示す温度に対応したＯＤテーブルを参照することによって、階調値を決定する。なお、ＯＤテーブルの詳細については後述する。
【００４９】
内蔵メモリ１４０は、図１に示すように、ＯＤテーブル群（複数のＯＤテーブル）、及び、テレビ１０を利用するユーザの設定した画質などの機器設定情報（設定情報）を格納している。
【００５０】
切替部１５０は、制御部１３０の指示に基づき、ＯＤテーブルの参照先を切り替える手段である。具体的には、制御部１３０によって参照されるＯＤテーブルが内蔵メモリ１４０に格納されている場合、切替部１５０は、ＯＤテーブルの参照先を内蔵メモリ１４０に切り替える。また、制御部１３０によって参照されるＯＤテーブルが外部メモリ２０に格納されている場合、切替部１５０は、ＯＤテーブルの参照先を外部メモリ２０に切り替える。
【００５１】
インターフェース１６０は、テレビ１０に、外部メモリ２０に代表される外部機器を接続するための端子である。インターフェース１６０としては、例えば、ＵＳＢ機器を接続するためのＵＳＢインターフェース、ＨＤＭＩ（High-Definition Multimedia Interface）機器を接続するためのＨＤＭＩインターフェース、及び、ＭＨＬ（Mobile High-Definition Link）機器を接続するためのＭＨＬインターフェースなどを例に挙げることができ
る。インターフェース１６０は、通信ケーブル３０を介して外部メモリ２０に接続されている。
【００５２】
（外部メモリの構成）
次に、外部メモリ２０の構成について説明する。外部メモリ２０は、図１に示すように、記憶部２１０、及び、インターフェース２２０を備えている。
【００５３】
記憶部２１０は、テレビ１０から書き込まれるＯＤテーブル群及び機器設定情報などを格納する記憶領域である。
【００５４】
インターフェース２２０は、外部メモリ２０をテレビ１０に接続するための端子である。インターフェース２２０としては、例えば、ＵＳＢ機器を接続するためのＵＳＢインターフェース、ＨＤＭＩ機器を接続するためのＨＤＭＩインターフェース、及び、ＭＨＬ機器を接続するためのＭＨＬインターフェースなどを例に挙げることができる。インターフェース２２０は、通信ケーブル３０を介してテレビ１０に接続されている。
【００５５】
なお、外部メモリ２０は、インターネットなどのネットワークを経由してテレビ１０に接続されているものであってもよい。
〔ＯＤテーブル〕
次に、ＯＤテーブルについて、図３を参照して説明する。図３は、本実施形態に係るテレビ１０の備える制御部１３０がＯＤ駆動時に参照するＯＤテーブル群の一例を示す図である。図３（ａ）は、ＯＤテーブルの一例を示し、（ｂ）は、ＯＤテーブル群の一例を示している。
【００５６】
図３（ａ）に示すように、ＯＤテーブルは、画像データが示す現フレームでの入力階調値と該画像データが示す次フレームでの入力階調値とによって、該次フレームにおいて液晶パネル１１０に書き込むべき出力階調値を指定するテーブルである。
【００５７】
例えば、あるフレーム（現フレーム）における入力階調値が「０」であって、あるフレームの直後のフレーム（次フレーム）における入力階調値が「８」である場合に指定される、あるフレームの直後のフレームにおける出力階調値は「１４」である。また、あるフレームにおける入力階調値が「２２４」であって、あるフレームの直後のフレームにおける入力階調値が「８」である場合に指定される、あるフレームの直後のフレームにおける出力階調値は「１」である。
【００５８】
また、内蔵メモリ１４０には、互いに温度に対応した複数のＯＤテーブル（ＯＤテーブル群）が格納されている。例えば、図３（ｂ）に示す一例では、液晶パネル温度が０℃である場合に最適な出力階調を指定するＯＤテーブル（０℃用ＯＤテーブル）、１０℃である場合に最適な出力階調を指定するＯＤテーブル（１０℃用ＯＤテーブル）、２０℃である場合に最適な出力階調を指定するＯＤテーブル（２０℃用ＯＤテーブル）、というように、液晶パネル温度が０℃から４０℃まで１０℃毎に最適な出力階調を指定するＯＤテーブルが格納されている。
【００５９】
なお、０℃用ＯＤテーブルは、液晶パネル温度が−５℃以上であって５℃未満である場合に参照されればよく、１０℃用ＯＤテーブルは、液晶パネル温度が５℃以上であって１５℃未満である場合に参照されればよい。
【００６０】
また、本実施形態では、ＯＤテーブルが１０℃毎に設けられている場合を例に挙げて説明したが、これに限定されるものではなく、例えば、５℃毎に設けられていてもよいし、１℃毎に設けられていてもよい。
【００６１】
〔テレビにおける処理〕
次に、テレビ１０において実行される各処理について、図４から図７を参照して説明する。
【００６２】
（ＯＤ駆動設定処理）
まず、ユーザが始めてテレビ１０の電源をＯＮ状態にした場合に、テレビ１０が内蔵メモリ１４０に格納されているＯＤテーブル群の一部を外部メモリ２０に書き出すＯＤ駆動設定処理について、図４を参照して説明する。図４は、本実施形態に係るテレビ１０におけるＯＤ駆動設定処理の流れを示すフローチャートである。
【００６３】
図４に示すように、電源が始めてＯＮ状態に遷移すると、テレビ１０は、制御部１３０によって、インターフェース１６０に外部メモリ２０が接続されているか否かを判定する（ステップＳ１１）。
【００６４】
外部メモリ２０が接続されていないと判定すると（ステップＳ１１においてＮＯ）、制御部１３０は、内蔵メモリ１４０に予め格納されているＯＤテーブル群の一部を削除するか否かの選択をユーザに促す削除選択ダイアログを液晶パネル１１０に表示する（ステップＳ１２）。
【００６５】
制御部１３０は、削除選択ダイアログに従って行われるユーザ指示が、ＯＤテーブル群の一部を削除する旨のユーザ指示であるか、削除しない旨のユーザ指示であるかを判定する（ステップＳ１３）。
【００６６】
削除選択ダイアログに従って行われたユーザ指示が、ＯＤテーブル群の一部を削除しない旨のユーザ指示であると判定すると（ステップＳ１３においてＮＯ）、制御部１３０は、インターフェース１６０に外部メモリ２０を接続することを促す接続要求ダイアログを液晶パネル１１０に表示する（ステップＳ１４）。
【００６７】
テレビ１０は、制御部１３０によって、外部メモリ２０がインターフェース１６０に接続されていると判定されるか（ステップＳ１１においてＹＥＳ）、ユーザ指示がＯＤテーブル群の一部を削除する旨の指示であると判定されるまで（ステップＳ１３においてＹＥＳ）、ステップＳ１１からＳ１４までの動作を繰り返す。
【００６８】
削除選択ダイアログに従って行われたユーザ指示が、ＯＤテーブル群の一部を削除する旨の指示であると判定すると（ステップＳ１３においてＹＥＳ）、制御部１３０は、内蔵メモリ１４０に格納されているＯＤテーブル群の一部を削除する（ステップＳ１５）。
【００６９】
外部メモリ２０が接続されていると判定すると（ステップＳ１１においてＹＥＳ）、制御部１３０は、内蔵メモリ１４０に格納されているＯＤテーブル群の一部を１つの外部メモリ２０に一括して格納するか（一括保存）、複数の外部メモリに分割して格納するか（分割保存）の選択をユーザに促す保存選択ダイアログを、液晶パネル１１０に表示する（ステップＳ１６）。
【００７０】
制御部１３０は、保存選択ダイアログに従って行われるユーザ指示が、一括保存を選択するユーザ指示であるか否かを判定する（ステップＳ１７）。
【００７１】
保存選択ダイアログに従って行われたユーザ指示が一括保存を選択するユーザ指示であると判定すると（ステップＳ１７においてＹＥＳ）、制御部１３０は、内蔵メモリ１４０に格納されているＯＤテーブル群の一部を、１つの外部メモリ２０に一括して格納する（書き出す）（ステップＳ１８）。
【００７２】
保存選択ダイアログに従って行われたユーザ指示が一括保存を選択するユーザ指示でない（すなわち、分割保存を選択するユーザ指示である）と判定すると（ステップＳ１７においてＮＯ）、制御部１３０は、内蔵メモリ１４０に格納されているＯＤテーブル群の一部を、現在接続されている外部メモリ２０を含めた複数の外部メモリに分割して格納する（書き出す）（ステップＳ１８）。
【００７３】
ＯＤテーブル群の一部の削除（ステップＳ１５）、ＯＤテーブル群の一部の外部メモリ２０への一括保存（ステップＳ１８）、及び、ＯＤテーブル群の一部の複数の外部メモリの分割保存（ステップＳ１９）の何れかが実行されると、テレビ１０は、ＯＤ駆動設定処理を終了し、後述するＯＤ駆動開始処理を実行する。
【００７４】
なお、制御部１３０は、ステップＳ１８、Ｓ１９において書き出したＯＤテーブル群を、ＯＤ駆動設定処理が終了する前に内蔵メモリ１４０から削除してもよい。
【００７５】
また、制御部１３０は、ユーザによって設定された情報を内蔵メモリ１４０に格納する都度、ステップＳ１８、Ｓ１９において書き出したＯＤテーブル群を内蔵メモリ１４０から削除する構成としてもよい。
【００７６】
上述の構成によれば、テレビ１０は、書き出されたＯＤテーブルが格納されていた内蔵メモリ１４０の領域を、ＯＤテーブル以外の情報を格納するための領域として有効に利用することができる。これによって、テレビ１０に、内蔵メモリ１４０とは異なる記憶装置をＯＤテーブル以外の情報を格納するために新たに設ける必要がないため、コストを削減することができる。
【００７７】
なお、各ダイアログに従って行われるユーザ指示は、例えば、ユーザがテレビ１０を遠隔操作するリモートコントローラ（不図示）を操作することによって行われてもよいし、テレビ１０を遠隔操作可能なスマートフォンなどの携帯端末を操作することによって行われてもよい。
【００７８】
また、内蔵メモリ１４０に予め格納されているＯＤテーブル群のうち、何れのＯＤテーブルが、ステップＳ１５において削除されるＯＤテーブルであるか、及び、ステップＳ１７又は１８において外部メモリ２０を含む１つ以上の外部メモリに格納されるＯＤテーブルであるかが予め設定されていてもよいし、ＯＤ駆動設定処理を実行する際に決定されてもよい。テレビ１０は、ＯＤ駆動設定処理を実行する際に、削除又は外部メモリ２０を含んだ１以上の外部メモリに書き出されるＯＤテーブルを決定する場合には、例えば、テレビ１０が使用される地域の年間の平均気温などに基づいて決定すればよいが、これに限定されるものではない。
【００７９】
なお、本実施形態では、ＯＤ駆動設定処理をユーザが始めてテレビ１０の電源をＯＮ状態にした場合に実行する場合を例に挙げて説明したが、これに限定されるものではなく、例えば、ＯＤ駆動設定処理を実行するユーザ指示を受け付けた場合に実行してもよい。
【００８０】
（ＯＤ駆動開始処理）
次に、ＯＤ駆動設定処理が終了した後、及び、２回目以降にユーザがテレビ１０の電源をＯＮ状態にした場合に、テレビ１０がＯＤ駆動を行うために実行するＯＤ駆動開始処理について、図５を参照して説明する。図５は、本実施形態に係るテレビ１０におけるＯＤ駆動開始処理の流れを示すフローチャートである。
【００８１】
電源がＯＮ状態に遷移（又は、ＯＤ駆動設定処理が終了）すると、図５に示すように、制御部１３０は、温度センサ１２０において検知された検知温度から、液晶パネル温度を算出する。（ステップＳ２１）。
【００８２】
制御部１３０は、液晶パネル温度を算出すると、算出した液晶パネル温度に対応するＯＤテーブルが内蔵メモリ１４０に格納されているか否かを判定する（ステップＳ２２）。
【００８３】
液晶パネル温度に対応するＯＤテーブルが内蔵メモリ１４０に格納されていないと判定した場合（ステップＳ２２においてＮＯ）、制御部１３０は、外部メモリ２０に液晶パネル温度に対応するＯＤテーブルが格納されているか否かを判定する（ステップＳ２３）。
【００８４】
外部メモリ２０に液晶パネル温度に対応するＯＤテーブルが格納されていないと判定した場合（ステップＳ２３においてＮＯ）、制御部１３０は、液晶パネル温度に対応するＯＤテーブルがない（すなわち、非対応である）旨の警告を液晶パネル１１０に表示する（ステップＳ２４）。
【００８５】
外部メモリ２０に液晶パネル温度に対応するＯＤテーブルが格納されていると判定した場合（ステップＳ２３においてＹＥＳ）、制御部１３０は、内蔵メモリ１４０に格納されている、液晶パネル温度に対応していないＯＤテーブルの少なくとも何れかを外部メモリ２０に格納した（書き出した）後に内蔵メモリ１４０から削除し、外部メモリ２０に格納されている、液晶パネル温度に対応したＯＤテーブルを内蔵メモリ１４０に格納する（書き込む）（ステップＳ２５）。
【００８６】
なお、制御部１３０は、外部メモリ２０に格納されている、液晶パネル温度に対応したＯＤテーブルを、内蔵メモリ１４０に書き込んだ後に削除してもよいし、削除しなくてもよい。
【００８７】
液晶パネル温度に対応するＯＤテーブルが内蔵メモリ１４０に格納されていると判定した場合（ステップＳ２２においてＹＥＳ）、及び、外部メモリ２０に格納されている、液晶パネル温度に対応したＯＤテーブルを内蔵メモリ１４０に書き込んだ（ステップＳ２５）後、制御部１３０は、内蔵メモリ１４０に格納されている、液晶パネル温度に対応したＯＤテーブルを参照してＯＤ駆動を開始する（ステップＳ２６）。
【００８８】
液晶パネル温度に対応するＯＤテーブルがない旨の警告を液晶パネル１１０に表示したとき（ステップＳ２４）、及び、内蔵メモリ１４０に格納されている、液晶パネル温度に対応したＯＤテーブルを参照してＯＤ駆動を開始したとき（ステップＳ２６）、テレビ１０は、ＯＤ駆動開始処理を終了する。テレビ１０は、ＯＤ駆動開始処理を終了した後、後述するＯＤ駆動を実行する。
【００８９】
上述の構成によれば、制御部１３０は、液晶パネル温度に対応するＯＤテーブル（すなわち、参照されるべき参照テーブル）が外部メモリ２０に書き出されたＯＤテーブルである場合に、液晶パネル温度に対応するＯＤテーブルを、内蔵メモリ１４０に書き込むことによって、再び内蔵メモリ１４０に格納する。
【００９０】
これによって、制御部１３０は、内蔵メモリ１４０に格納されているＯＤテーブルを参照して液晶パネル１１０を駆動することができる。したがって、テレビ１０は、液晶パネル温度に対応するＯＤテーブルを参照するために外部メモリ２０にアクセスしなければならないことに起因した、処理速度の低下を防ぐことができる。
【００９１】
また、上述の構成によれば、制御部１３０は、液晶パネル温度に対応するＯＤテーブルを内蔵メモリ１４０に書き込む際に、内蔵メモリ１４０に格納されているＯＤテーブルの少なくとも何れかを外部メモリ２０に書き出す。これによって、制御部１３０は、内蔵メモリ１４０の有する領域のうち、ＯＤテーブル以外の情報を格納するための領域を確保しつつ、液晶パネル温度に対応するＯＤテーブルを内蔵メモリ１４０に書き込むことができる。
【００９２】
なお、制御部１３０は、ステップＳ２４において液晶パネル１１０に表示する警告を表示し続けてもよいし、所定の時間が経過した後に表示を停止してもよい。
【００９３】
（ＯＤ駆動処理）
次に、ＯＤ駆動開始処理が終了した後、テレビ１０において行われるＯＤ駆動処理について、図６及び図７を参照して説明する。図６は、本実施形態に係るテレビ１０におけるＯＤ駆動処理の流れを示すフローチャートである。
【００９４】
ＯＤ駆動開始処理が終了すると、図６に示すように、制御部１３０は、温度センサ１２
０において検知された検知温度から、液晶パネル温度を算出する。（ステップＳ３１）。
【００９５】
制御部１３０は、液晶パネル温度を算出すると、現在参照しているＤＯテーブルが、算出した液晶パネル温度に対応しているか否かを判定する（ステップＳ３２）。
【００９６】
現在参照しているＤＯテーブルが算出した液晶パネル温度に対応していると判定した場合（ステップＳ３２においてＹＥＳ）、制御部１３０は、現在参照しているＯＤテーブルを引き続き参照してＯＤ駆動を行う（ステップＳ３３）。
【００９７】
現在参照しているＤＯテーブルが算出した液晶パネル温度に対応していないと判定した場合（ステップＳ３２においてＮＯ）、制御部１３０は、算出した液晶パネル温度に対応するＯＤテーブルが内蔵メモリ１４０に格納されているか否かを判定する（ステップＳ３４）。
【００９８】
液晶パネル温度に対応するＯＤテーブルが内蔵メモリ１４０に格納されていないと判定した場合（ステップＳ３４においてＮＯ）、制御部１３０は、外部メモリ２０に液晶パネル温度に対応するＯＤテーブルが格納されているか否かを判定する（ステップＳ３５）。
【００９９】
外部メモリ２０に液晶パネル温度に対応するＯＤテーブルが格納されていないと判定した場合（ステップＳ３５においてＮＯ）、制御部１３０は、液晶パネル温度に対応するＯＤテーブルがない（すなわち、非対応である）旨の警告を液晶パネル１１０に表示する（ステップＳ３６）。
【０１００】
外部メモリ２０に液晶パネル温度に対応するＯＤテーブルが格納されていると判定した場合（ステップＳ３５においてＹＥＳ）、制御部１３０は、内蔵メモリ１４０に格納されている、液晶パネル温度に対応していないＯＤテーブルの少なくとも何れかを外部メモリ２０に格納した（書き出した）後に内蔵メモリ１４０から削除し、外部メモリ２０に格納されている、液晶パネル温度に対応したＯＤテーブルを内蔵メモリ１４０に格納する（書き込む）（ステップＳ３７）。
【０１０１】
なお、制御部１３０は、外部メモリ２０に格納されている、液晶パネル温度に対応したＯＤテーブルを、内蔵メモリ１４０に書き込んだ後に削除してもよいし、削除しなくてもよい。
【０１０２】
液晶パネル温度に対応するＯＤテーブルが内蔵メモリ１４０に格納されていると判定した場合（ステップＳ３４においてＹＥＳ）、及び、外部メモリ２０に格納されている、液晶パネル温度に対応したＯＤテーブルを内蔵メモリ１４０に書き込んだ場合（ステップＳ３７）後、制御部１３０は、内蔵メモリ１４０に格納されている、液晶パネル温度に対応したＯＤテーブルを参照してＯＤ駆動を継続する（ステップＳ３８）。
【０１０３】
なお、ＯＤ駆動処理におけるステップＳ３１〜Ｓ３８の処理は、テレビ１０の電源がＯＦＦ状態に遷移するまで、又は、ユーザによって、ＯＤ駆動の停止（すなわち、ＯＤ駆動を行わずに画像を表示）が指示されるまで、繰り返し実行される。
【０１０４】
ここで、テレビ１０の電源がＯＮ状態になると、液晶パネル１１０は一般に発熱するため、電源がＯＮ状態に遷移した直後と、遷移後一定時間が経過した後とでは、液晶パネル１１０に温度差が生じる。このため、高画質の画像表示を実現するためには、テレビ１０の電源がＯＮ状態に遷移した時点からの経過時間によって、適切なＯＤテーブルを参照してＯＤ駆動を行う必要がある。
【０１０５】
上述の構成によれば、テレビ１０は、液晶パネル１１０の温度の変化に伴って、より適切なＯＤテーブルを参照することができる。これによって、テレビ１０は、液晶パネル１１０の温度が変化した場合でも、液晶パネル温度に対応したＯＤテーブルを参照してＯＤ駆動を行うことができる。
【０１０６】
次に、ＯＤ駆動処理における、参照するＯＤテーブルの切り替えについて、図７を参照して説明する。図７は、テレビ１０の起動時間による液晶パネル１１０の温度変化と、制御部１３０によって参照されるＯＤテーブルの切り替えタイミングとの関係を示すグラフである。
【０１０７】
図７に示すように、制御部１３０は、ＯＤ駆動開始処理にて算出した液晶パネル温度が５℃未満である場合、液晶パネル温度が５℃以上となる時間ｔ１まで、０℃用ＯＤテーブルを参照してＯＤ駆動を行う。
【０１０８】
制御部１３０は、時間ｔ１において液晶パネル温度が５℃以上になると、参照するＯＤテーブルを、０℃用ＯＤテーブルから１０℃用ＯＤテーブルに切り替える。このとき、１０℃用ＯＤテーブルが外部メモリ２０に格納されている場合には、制御部１３０は、内蔵メモリ１４０に格納されているＯＤテーブル（例えば、０℃用ＯＤテーブルなど）を外部メモリ２０に書き出し、１０℃用ＯＤテーブルを内蔵メモリ１４０に書き込んだ上で１０℃用ＯＤテーブルを参照してもよい。
【０１０９】
参照するＯＤテーブルを１０℃用ＯＤテーブルに切り替えると、制御部１３０は、液晶パネル温度が１５℃以上となる時間ｔ２まで、１０℃用ＯＤテーブルを参照してＯＤ駆動を行う。
【０１１０】
また、制御部１３０は、時間ｔ２において液晶パネル温度が１５℃以上になると、参照するＯＤテーブルを、１０℃用ＯＤテーブルから２０℃用ＯＤテーブルに切り替える。このとき、２０℃用ＯＤテーブルが外部メモリ２０に格納されている場合には、制御部１３０は、内蔵メモリ１４０に格納されているＯＤテーブル（例えば、１０℃用ＯＤテーブルなど）を外部メモリ２０に書き出し、２０℃用ＯＤテーブルを内蔵メモリ１４０に書き込んだ上で２０℃用ＯＤテーブルを参照してもよい。
【０１１１】
なお、本実施形態では、外部メモリ２０に格納されたＯＤテーブルを参照する場合に、内蔵メモリ１４０に格納した上で参照する構成を例に挙げて説明したが、外部メモリ２０に格納されたＯＤテーブルを直接参照する構成を採用することもできる。
【０１１２】
この場合には、図５に示すＯＤ駆動開始処理において、外部メモリ２０に液晶パネル温度に対応するＯＤテーブルが格納されていると判定した場合（ステップＳ２３においてＹＥＳ）、制御部１３０は、ステップＳ２５及びＳ２６を実行する代わりに、外部メモリ２０に格納されている、液晶パネル温度に対応するＯＤテーブルを直接参照してＯＤ駆動を行えばよい。
【０１１３】
さらに、図６に示すＯＤ駆動処理において、外部メモリ２０に液晶パネル温度に対応するＯＤテーブルが格納されていると判定した場合（ステップＳ３５においてＹＥＳ）、ステップＳ３７及びＳ３８を実行する代わりに、外部メモリ２０に格納されている、液晶パネル温度に対応するＯＤテーブルを直接参照してＯＤ駆動を行えばよい。
【０１１４】
また、外部メモリ２０に格納されている、液晶パネル温度に対応するＯＤテーブルを直接参照する場合には、制御部１３０は、ＯＤテーブルの参照先を、内蔵メモリ１４０から外部メモリ２０に切り替えるよう、切替部１５０を制御する。
【０１１５】
なお、ＯＤ駆動設定処理、ＯＤ駆動開始処理、及び、ＯＤ駆動処理における各ステップは、上述した順に限定されるものではなく、種々の変更が可能である。
【０１１６】
また、本実施形態では、内蔵メモリ１４０に予め格納されているＯＤテーブル群の一部を外部メモリ２０に書き出す構成を例に挙げて説明したが、これに限定されるものではない。例えば、内蔵メモリ１４０に予め格納されているＯＤテーブル群の全てを外部メモリ２０に書き出してもよい。このとき、テレビ１０は、外部メモリ２０に書き出したＯＤテーブル群のうちの一部を、内蔵メモリ１４０から削除すればよい。
【０１１７】
このように、外部メモリ２０をバックアップとしても利用することにより、内蔵メモリ１４０に不具合が生じた場合であっても、テレビ１０は、ＯＤテーブルを参照したＯＤ駆動を行うことができる。
【０１１８】
なお、テレビは一般的に、近年の高機能化に伴って複数のＵＳＢインターフェースやＨＤＭＩインターフェースなどを備えているため、外部メモリ２０をインターフェース１６０に接続することで、空いている（つまり、機器が接続されていない）インターフェースを有効に活用することができる。
＜変形例＞
本実施形態では、異なる温度に対応した複数のＯＤテーブルの何れかを参照してＯＤ駆動を行う場合を例に挙げて説明したが、これに限定されるものではない。例えば、液晶パネル１１０の種類、及び、テレビ１０の備える液晶パネル１１０のバックライト（ＢＬ）（不図示）の制御方法（例えば、ローカルディミングなど）などに対応したＯＤテーブルを参照してＯＤ駆動を行ってもよい。
【０１１９】
この場合には、図３（ｂ）に示すＯＤテーブル群に加え、液晶パネル１１０の種類のそれぞれに対応じた複数のＯＤテーブル（例えば、０℃〜４０℃用ＯＤテーブル）からなるＯＤテーブル群、ローカルディミングに対応した複数のＯＤテーブルからなるＯＤテーブル群など、複数のＯＤテーブル群が内蔵メモリ１４０に予め格納されていればよい。
【０１２０】
具体的には、テレビ１０に用いられる液晶パネル１１０の種類がＡ、Ｂの２種類の何れかである場合、液晶パネル１１０が種類Ａである場合に参照されるＯＤテーブル群、及び、液晶パネル１１０が種類Ｂである場合に参照されるＯＤテーブル群が内蔵メモリ１４０に予め格納されていればよい。
【０１２１】
また、ローカルディミングを行わない場合に参照されるＯＤテーブル群、及び、ローカルディミングを行う場合に参照されるＯＤテーブル群が内蔵メモリ１４０に予め格納されていればよい。
【０１２２】
さらに、ローカルディミングを行う場合であって液晶パネル１１０が種類Ａである場合に参照されるＯＤテーブル群など、液晶パネル１１０の種類、及び、ＢＬの制御方法の双方に対応したＯＤテーブル群が内蔵メモリ１４０に予め格納されていてもよい。
【０１２３】
上述の構成によれば、テレビ１０は、液晶パネル温度に加え、液晶パネル１１０の種類、ＢＬの駆動方法などが異なる場合にも、より最適なＯＤテーブルを参照してＯＤ駆動を行うことができる。これによって、さらに高画質の画像表示を実現することができる。
【０１２４】
なお、この場合には、内蔵メモリ１４０は、例えば、液晶パネル１１０の種類を示すパネル種類ＩＤ、液晶パネル１１０のメーカを示すメーカＩＤ、ＢＬの制御方法を示す制御方法ＩＤなどの機器情報をさらに格納していてもよい。
【０１２５】
また、複数のＯＤテーブル群が予め内蔵メモリ１４０に格納されている場合、テレビ１０は、テレビ１０におけるＯＤ駆動に必要のないＯＤテーブル群を、上述したＯＤ駆動設定処理におけるステップＳ１９又はＳ２０において外部メモリ２０に書き出せばよい。また、テレビ１０は、テレビ１０におけるＯＤ駆動に必要のないＯＤテーブル群を、上述したＯＤ駆動設定処理におけるステップＳ１４において削除してもよい。
【０１２６】
例えば、テレビ１０に種類Ａの液晶パネル１１０が用いられている場合には、液晶パネル１１０が種類Ｂである場合に参照されるＯＤテーブル群をＯＤ駆動設定処理におけるステップＳ１９又はＳ２０において外部メモリ２０に書き出せばよい。
【０１２７】
これによって、テレビ１０は、ＯＤ駆動に必要のないＯＤテーブル群が格納されていた内蔵メモリ１４０の領域を、ＯＤテーブル以外の情報を格納するための領域として有効に利用することができる。これによって、テレビ１０は、上記メモリとは異なる記憶装置を参照テーブル以外の情報を格納するために新たに設ける必要がないため、コストを削減することができる。これによって、テレビ１０に、内蔵メモリ１４０とは異なる記憶装置をＯＤテーブル以外の情報を格納するために新たに設ける必要がないため、コストを削減することができる。
【０１２８】
なお、テレビ１０は、ＯＤ駆動設定処理を実行する際に、削除又は外部メモリ２０を含んだ１以上の外部メモリに書き出されるＯＤテーブルを決定する場合には、テレビ１０が使用される地域の年間の平均気温に加え、例えば、液晶パネル１１０の種類、及び、ＢＬの制御方法などに基づいて決定してもよい。
＜実施形態２＞
本発明の他の実施形態について、図８及び図９を参照して説明する。なお、説明の便宜上、実施形態１に係る構成要素と同様の機能を有する構成要素には同一の番号を付し、その説明を省略する。本実施形態では、主に、実施形態１との相違点について説明するものとする。
【０１２９】
〔表示システムの構成〕
まず、本実施形態に係る表示システム２の構成の概略について図８を参照して説明する。図８は、本実施形態に係る表示システム２の構成の概略を示す図である。
【０１３０】
図８に示すように、本実施形態に係る表示システム２は、テレビ１１、及び、外部メモリ２１を備えている。本実施形態では、図８に示すように、外部メモリ２１は、通信ケーブルを介することなく、直接テレビ１１に接続されている。
【０１３１】
次に、表示システム２の構成について、図９を参照して説明する。図９は、本実施形態に係る表示システム２の構成を示すブロック図である。
【０１３２】
（テレビの構成）
まず、テレビ１１の構成について説明する。テレビ１１は、図９に示すように、液晶パネル１１０、温度センサ１２０、制御部１３０、内蔵メモリ１４１、切替部１５０、及び、インターフェース１６０を備えている。
【０１３３】
内蔵メモリ１４１は、図９に示すように、ＯＤテーブル群及び機器設定情報に加え、温度センサ１２０の位置情報、外部接続端子の位置情報、及び、液晶パネル１１０の温度テーブル（パネルの温度テーブル）が格納されている。
【０１３４】
温度センサ１２０の位置情報は、温度センサ１２０の設けられている、テレビ１１にお
ける位置を示す情報である。
【０１３５】
外部接続端子の位置情報は、外部メモリ２０を含む外部機器と接続可能な外部接続端子であって、インターフェース１６０を含む複数の外部接続端子の各々のテレビ１１における位置を示す情報である。
【０１３６】
また、液晶パネル１１０の温度テーブル（以降、単に温度テーブルとも記載する）は、検知温度と外部検知温度とによって液晶パネル１１０の温度を指定するテーブルである。
【０１３７】
例えば、検知温度と外部検知温度との組み合わせの各々の場合について、液晶パネル１１０の温度を予め測定し、温度テーブルとして記憶しておけばよい。制御部１３０は、温度テーブルを参照することによって、検知温度及び外部検知温度から液晶パネル１１０の温度（液晶パネル温度）を容易に算出することができる。
【０１３８】
（外部メモリの構成）
次に、外部メモリ２１の構成について説明する。外部メモリ２１は、図９に示すように、記憶部２１１、インターフェース２２０、及び、温度センサ２３１を備えている。
【０１３９】
記憶部２１１は、テレビ１１から書き込まれるＯＤテーブル群機器設定情報などを格納する記憶領域である。また、記憶部２１１には、温度センサ２３１が設けられている、外部メモリ２１における位置を示す、温度センサ２３１の位置情報が格納されている。
【０１４０】
温度センサ２３１は、外部メモリ２１の周囲の温度を検知し、検知した温度（外部検知温度）を、インターフェース２２０を介してテレビ１１の備える制御部１３０に供給する。温度センサ２３１としては、例えば、サーミスタなどを例に挙げることができる。
【０１４１】
インターフェース２２０は、通信ケーブルを介することなく、直接テレビ１１の備えるインターフェース１６０に接続されている。
【０１４２】
なお、本実施形態では、図８に示すように、温度センサ１２０が、テレビ１１の液晶パネル１１０の周囲に設けられた額縁領域のうち、液晶パネル１１０を正面から見た右下の領域に設けられ、外部メモリ２１が、テレビ１１の、液晶パネル１１０を正面から見た左上の位置に設けられたインターフェース１６０に接続されている場合を例に挙げて説明する。
【０１４３】
（ＯＤテーブルの参照方法）
テレビ１１の備える制御部１３０は、温度センサ１２０から供給される検知温度、及び、外部メモリ２１から供給される外部検知温度に基づいて、ＯＤ駆動を行う。
【０１４４】
制御部１３０は、まず、検知温度及び外部検知温度から、液晶パネル温度を算出する。例えば、制御部１３０は、検知温度と外部検知温度との平均温度を液晶パネル温度を算出してもよいし、検知温度と外部検知温度との差から液晶パネル温度を算出してもよい。
【０１４５】
制御部１３０は、次に、算出した液晶パネル温度の示す温度に対応したＯＤテーブルを参照することによって、階調値を決定する。
【０１４６】
また、制御部１３０は、液晶パネル温度を算出する際に、内蔵メモリ１４１から、温度センサ１２０の位置情報を取得し、外部メモリ２１から、温度センサ２３１の位置情報を取得してもよい。この場合、制御部１３０は、温度センサ１２０の位置情報と検知温度、及び、温度センサ２３１の位置情報と外部検知温度から、液晶パネル１１０の温度分布を
算出してもよい。
【０１４７】
例えば、外部検知温度が高く、検知温度が低い場合には、図８に示す液晶パネル１１０の左上の領域から右下の領域に向かって徐々に温度が低くなるような液晶パネル温度を算出してもよい。
【０１４８】
制御部１３０は、液晶パネル１１０の左上の領域の液晶パネル温度に対応したＯＤテーブルと、液晶パネル１１０の右下の領域の液晶パネル温度に対応したＯＤテーブルとが異なる場合には、各々の液晶パネル温度に最適なＯＤテーブルを参照すればよい。この場合には、制御部１３０は、液晶パネル温度の異なる液晶パネル１１０の領域毎に最適なＯＤテーブルに従ってＯＤ駆動を行うことになる。
【０１４９】
したがって、本実施形態に係るテレビ１１は、複数のＯＤテーブルを参照して、液晶パネル温度の異なる液晶パネル１１０の領域毎に異なるＯＤ駆動を行うことができる。これによって、テレビ１１は、液晶パネル１１０の温度の異なる領域毎に適切なＯＤテーブルを参照してＯＤ駆動を行うことができるため、より高画質の画像表示を実現することができる。
【０１５０】
大型の液晶パネル１１０を備えるテレビ１１においては、液晶パネル１１０上の領域によって温度の違いがより大きくなる。このように、液晶パネル１１０上の領域によって温度の違いが生じる原因としては、例えば、エアコンの風が液晶パネル１１０の一部にだけ当たり、風の当たる領域が他の領域よりも温度が下がるというような場合が考えられる。
【０１５１】
このような場合には、液晶パネル１１０の一部の温度を検知しただけでは最適なＯＤテーブルを選択できない。
【０１５２】
上記の問題を解決するために、上掲の特許文献５には、予め複数の温度センサを備えていなければならないという問題があった。
【０１５３】
しかし、特許文献５に記載の技術では、予め複数の温度センサを備えているため、コストが増大してしまうという問題がある。
【０１５４】
本実施形態に係るテレビ１１は、上述の構成によって、予め複数の温度センサが設けられていない場合であっても、外部メモリ２１に備えられている温度センサ２３１を利用して温度を検知することができる。これによって、テレビ１１は、予め複数の温度センサが設けられていない場合であっても、液晶パネル１１０の温度検知の精度を高めることができるため、液晶パネル１１０の温度の異なる領域毎に最適なＯＤテーブルを参照してＯＤ駆動を行うことができる。
【０１５５】
〔プログラム、記録媒体〕
テレビ１０の各ブロックは、集積回路（ＩＣチップ）上に形成された論理回路によってハードウェア的に実現してもよいし、ＣＰＵ（Central Processing Unit）を用いてソフ
トウェア的に実現してもよい。
【０１５６】
後者の場合、テレビ１０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１０の制御プログラムのプログラムコード（実行形式プログラム、中間コードプログラム、ソースプログラム）をコンピュータで読み取り可能に記録し
た記録媒体を、テレビ１０に供給し、そのコンピュータ（またはＣＰＵやＭＰＵ）が記録媒体に記録されているプログラムコードを読み出し実行することによっても、達成可能である。
【０１５７】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）や
ＦＰＧＡ（Field Programmable Gate Array）等の論理回路類などを用いることができる
。
【０１５８】
また、上記プログラムコードは、通信ネットワークを介してテレビ１０に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移
動体通信網、衛星通信網等が使用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ（Digital Living Network Alliance）、携帯電話網、衛星回線、地上波デジタル網等の無線で
も使用可能である。
【０１５９】
なお、本発明は上述した実施形態に限定されるものではなく、請求項に示した範囲で種々の変更が可能である。
【産業上の利用可能性】
【０１６０】
本発明は、液晶パネルを備えた液晶表示装置一般に好適に利用することができ、例えば、テレビジョン受像機、パーソナルコンピュータ、タブレット型ＰＣ、カーナビゲーションシステム、スマートフォン、携帯電話、携帯情報端末などに好適に利用することができる。
【符号の説明】
【０１６１】
１、２          表示システム
１０、１１      テレビ（表示装置）
２０、２１      外部メモリ（外部記録媒体）
３０            通信ケーブル
１１０          液晶パネル（表示パネル）
１２０          温度センサ（温度検知手段）
１３０          制御部（書出手段、駆動手段、識別手段）
１４０、１４１  内蔵メモリ（内部メモリ）
１５０          切替部
１６０          インターフェース
２１０、２１１  記憶部
２２０          インターフェース
２３１          温度センサ
【図１】
2014002289.tif 000003
【図２】
2014002289.tif 000004
【図３】
2014002289.tif 000005
【図４】
2014002289.tif 000006
【図５】
2014002289.tif 000007
【図６】
2014002289.tif 000008
【図７】
2014002289.tif 000009
【図８】
2014002289.tif 000010
【図９】
2014002289.tif 000011